(57)【要約】【課題】ハイブリッドファインダで好適な被写体の視認ができる撮像装置を提供する。【解決手段】撮像装置は、撮像されたライブビュー表示および撮影情報の表示をＯＶＦ表示に重畳して表示が可能なＥＶＦと、ＥＶＦに表示する画像を補正する補正処理手段１４０ａと、を備える。補正処理手段１４０ａは、ＯＶＦとＥＶＦの画像表示の差異を減少させる作用を有し、撮影画像に対して実施されない第１の補正処理と、ＯＶＦとＥＶＦの画像表示の差異を増大させる作用を有し、撮影画像に対して実施される第２の補正処理と、を実行する機能を有し、撮影動作を開始する前の第１の制御区間と、撮影動作を開始してから撮像素子による撮影を終了するまでの第２の制御区間で、補正処理手段１４０ａによるＥＶＦに表示する画像の補正処理を切り替えて実行する制御手段１４０を有する。【選択図】図１
2019212959.tif 000002
【特許請求の範囲】
【請求項１】
光学ビューファインダと、
撮像素子によって撮像されたライブビュー表示および撮影情報の表示を前記光学ビューファインダの表示に重畳して表示が可能な電子ビューファインダと、
前記撮像素子によって撮像された撮影画像を記録する記録手段と、
前記電子ビューファインダに表示する画像を補正する補正処理手段と、を備え、
前記補正処理手段は、
前記光学ビューファインダと前記電子ビューファインダの画像表示の差異を減少させる作用を有し、前記撮影画像に対して実施されない第１の補正処理と、
前記光学ビューファインダと前記電子ビューファインダの画像表示の差異を増大させる作用を有し、前記撮影画像に対して実施される第２の補正処理と、を実行する機能を有し、
撮影動作を開始する前の第１の制御区間と、前記撮影動作を開始してから前記撮像素子による撮影を終了するまでの第２の制御区間で、前記補正処理手段による前記電子ビューファインダに表示する画像の補正処理を切り替えて実行する制御手段を有することを特徴とする撮像装置。
【請求項２】
前記制御手段は、前記第１の制御区間において、前記電子ビューファインダの画像表示に対する前記第２の補正処理を停止することを特徴とする請求項１に記載の撮像装置。
【請求項３】
前記制御手段は、前記第２の制御区間において、前記電子ビューファインダの画像表示に対する前記第１の補正処理を停止することを特徴とする請求項１または２に記載の撮像装置。
【請求項４】
前記補正処理手段は、前記光学ビューファインダと前記電子ビューファインダの画像表示の差異を減少させる作用を有し、撮影画像に対して実施される第３の補正処理を実施する機能を有し、
前記制御手段は、前記第１の制御区間および前記第２の制御区間において、前記第３の補正処理を実行することを特徴とする請求項１乃至３のいずれか一項に記載の撮像装置。
【請求項５】
前記制御手段は、前記第２の制御区間では、前記光学ビューファインダから前記撮像素子への光路を遮断し、前記電子ビューファインダに表示される画像の輝度を変更することを特徴とする請求項１乃至４のいずれか一項に記載の撮像装置。
【請求項６】
前記制御手段は、前記第２の制御区間では、前記光学ビューファインダから前記撮像素子への光路を遮断せず、前記電子ビューファインダに画像を表示しないことを特徴とする請求項１乃至５のいずれか一項に記載の撮像装置。
【請求項７】
前記第１の補正処理は、ファインダ重畳収差補正、メインミラー透過補正、電子ビューファインダ表示遅延補正のうち１つ以上を含むことを特徴とする請求項１乃至６のいずれか一項に記載の撮像装置。
【請求項８】
前記第２の補正処理は、撮影レンズ収差補正、センサシフト式手ぶれ補正、電子式手ぶれ補正、画像傾き回転補正のうち１つ以上を含むことを特徴とする請求項１乃至７のいずれか一項に記載の撮像装置。
【請求項９】
前記第３の補正処理は、ローリングシャッタ歪み補正、フリッカー低減補正、撮像センサ補正のうち１つ以上を含むことを特徴とする請求項４乃至８のいずれか一項に記載の撮像装置。
【請求項１０】
前記制御手段は、撮影を終了した後、前記撮影画像を前記電子ビューファインダに表示し、前記光学ビューファインダに重畳させて表示するとき、前記電子ビューファインダの表示に対する前記第２の補正処理を停止することを特徴とする請求項１乃至９のいずれか一項に記載の撮像装置。
【請求項１１】
光学ビューファインダと、
撮像素子によって撮像されたライブビュー表示および撮影情報の表示を前記光学ビューファインダの表示に重畳して表示が可能な電子ビューファインダと、
前記撮像素子によって撮像された撮影画像を記録する記録手段と、を備える撮像装置の制御方法であって、
前記電子ビューファインダに表示する画像を補正する補正処理ステップと、
撮影動作を開始する前の第１の制御区間と、前記撮影動作を開始してから前記撮像素子による撮影を終了するまでの第２の制御区間で、前記補正処理ステップでの前記電子ビューファインダに表示する画像の補正処理を切り替えて実行する制御ステップと、を備え、  前記補正処理ステップは、
前記光学ビューファインダと前記電子ビューファインダの画像表示の差異を減少させる作用を有し、前記撮影画像に対して実施されない第１の補正処理と、
前記光学ビューファインダと前記電子ビューファインダの画像表示の差異を増大させる作用を有し、前記撮影画像に対して実施される第２の補正処理と、を実行する機能を有することを特徴とする撮像装置の制御方法。
【発明の詳細な説明】
【技術分野】
【０００１】
本発明は、撮像装置のファインダに関し、特に一眼レフカメラ等の撮像装置において光学式ビューファインダの表示と電子式ビューファインダの表示を重畳させて表示する技術に関する。
【背景技術】
【０００２】
一眼レフカメラ等の撮像装置において、光学式ビューファインダと電子ビューファインダを撮影者がカメラのファインダ部を覗きながら切り替えることを可能とする技術が提案されている。また、光学式ビューファインダの表示と電子ビューファインダの表示を重畳表示するハイブリッドファインダを備えたカメラのファインダ装置が提案されている。更に、重畳させる電子ビューファインダの表示についての詳細技術についても提案されており、例えば特許文献１には、ハイブリッドファインダにおいて、撮像した信号から被写体の輪郭を抽出して、輪郭情報だけを重畳させる技術が開示されている。
【先行技術文献】
【特許文献】
【０００３】
【特許文献１】特開２０１２−０８５２６１号公報
【発明の概要】
【発明が解決しようとする課題】
【０００４】
しかしながら、上述した先行技術は、暗い時の構図補助を目的とした輪郭補助であり、上述した特許文献１では、通常状況における撮像装置の動作の各段階で適切な静止画撮影時の重畳表示の制御については述べられていない。
【０００５】
そこで、本発明の目的は、ハイブリッドファインダを備えた撮像装置で静止画を撮影する際、撮像装置の動作の各段階においても好適に撮影することができる撮像装置及びその制御方法を提供することにある。
【課題を解決するための手段】
【０００６】
上記目的を達成するために、本発明の撮像装置は、光学ビューファインダと、撮像素子によって撮像されたライブビュー表示および撮影情報の表示を前記光学ビューファインダの表示に重畳して表示が可能な電子ビューファインダと、前記撮像素子によって撮像された撮影画像を記録する記録手段と、前記電子ビューファインダに表示する画像を補正する補正処理手段と、を備え、前記補正処理手段は、前記光学ビューファインダと前記電子ビューファインダの画像表示の差異を減少させる作用を有し、前記撮影画像に対して実施されない第１の補正処理と、前記光学ビューファインダと前記電子ビューファインダの画像表示の差異を増大させる作用を有し、前記撮影画像に対して実施される第２の補正処理と、を実行する機能を有し、撮影動作を開始する前の第１の制御区間と、前記撮影動作を開始してから前記撮像素子による撮影を終了するまでの第２の制御区間で、前記補正処理手段による前記電子ビューファインダに表示する画像の補正処理を切り替えて実行する制御手段を有することを特徴とする。
【発明の効果】
【０００７】
本発明によれば、ハイブリッドファインダを備えた撮像装置で静止画を撮影する際、撮像装置の動作の各段階においても好適に撮影することができる。
【図面の簡単な説明】
【０００８】
【図１】本発明の撮像装置の第１の実施形態に係るデジタル一眼レフカメラの構成例を示すブロック図である。
【図２】ハイブリッドファインダについて説明する図である。
【図３】収差のないレンズを用いて、水平垂直に格子状の模様を被写体として視認したときの様子を示す図である。
【図４】静止している人物を被写体として視認した様子を示す図である。
【図５】静止している人物を被写体として視認し、カメラを左方向に移動させた様子を示す図である。
【図６】水平垂直に格子状の模様を被写体として、収差を持つ撮影レンズを装着し、収差のないファインダで視認したときの様子を示す図である。
【図７】水平面に対して傾斜した面上に静止した物体を被写体として、ファインダを視認したときの様子を示す図である。
【図８】垂直に立つ４本の棒状の物体を被写体として視認している様子を示す図である。
【図９】静止した人物を被写体として視認している様子を示す図である。
【図１０】静止した被写体を視認しているときの様子を示す図である。
【図１１】デジタル一眼レフカメラの撮影動作を示すフローチャート図である。
【図１２】デジタル一眼レフカメラの撮影動作を示すタイムチャート図である。
【図１３】デジタル一眼レフカメラの撮影動作の断面模式図である。
【図１４】本発明の撮像装置の第２の実施形態におけるデジタル一眼レフカメラの撮影動作を示すフローチャート図である。
【図１５】デジタル一眼レフカメラの撮影動作を示すタイムチャート図である。
【図１６】本発明の撮像装置の第３の実施形態におけるデジタル一眼レフカメラの撮影動作を示すフローチャート図である。
【図１７】デジタル一眼レフカメラの撮影動作を示すタイムチャート図である。
【発明を実施するための形態】
【０００９】
以下、図面を参照して、本発明の実施形態を説明する。
【００１０】
（第１の実施形態）
図１は、本発明の撮像装置の第１の実施形態に係るデジタル一眼レフカメラの構成例を示すブロック図である。
【００１１】
本実施形態のデジタル一眼レフカメラ（以下、カメラという。）は、図１に示すように、カメラ本体１０１及びカメラ本体１０１に着脱可能に装着される交換レンズ２０１を備える。交換レンズ２０１の撮像レンズ２０２を透過した光束は、カメラ本体１０１のミラーユニット１５０内のメインミラー１５１に入射する。メインミラー１５１は、ファインダ１６０の表示及びファインダ内部表示部１６４の表示を切り替えることが可能である。メインミラー１５１は、ハーフミラーで構成され、メインミラー１５１で反射された光束は、ファインダ１６０へ導かれる。ファインダ１６０及びファインダ内部表示部１６４の詳細については後述する。
【００１２】
メインミラー１５１及びメインミラー遮光板１５５からなるミラーユニット１５０は、それぞれ不図示の回動可能な保持枠によって保持されている。ミラーユニット１５０の光軸後方には、シャッタユニット３００が配置されている。シャッタユニット３００は、シャッタ地板３０８に開口３０８ａを有し、開口を遮光する先幕３０１及び後幕３０２からなるシャッタの遮光幕を有する、いわゆるフォーカルプレーン方式のメカニカルシャッタである。
【００１３】
先幕３０１及び後幕３０２は、不図示のシャッタチャージユニットによって走行に必要なバネ力がチャージされる。カメラの待機状態であるチャージ完状態において、先幕３０１はシャッタ開口部を遮光しており、後幕３０２はシャッタ開口部の外に畳まれた状態で退避している。
【００１４】
シャッタユニット３００は、システム制御部１４０及びシャッタ制御部１３２からの信号によって、先幕３０１を走行させて開口部３０８ａの遮光を解除し、また、後幕３０２を走行させて開口状態にあるシャッタを遮光させることが出来る。システム制御部１４０は、ＲＯＭ，ＲＡＭ、ＣＰＵ等を有し、カメラ全体の制御を司る。
【００１５】
先幕３０１及び後幕３０２は、待機状態においてチャージ状態を通電された電磁石の力で保持し、電磁石の通電を切ることで走行する。このいわゆる緊定マグネット方式のシャッタは、待機状態を保持している間は電磁石通電のための電力消費が必要となる。したがって、先幕３０１及び後幕３０２は、退避状態でメカ的なロック機構によって保持され、走行の前にロックを解除するセット解除機構を有していることが望ましい。
【００１６】
また、後述する撮像ユニット１３０の撮像素子１３１が画像の本撮像を開始する際に撮像素子１３１の内部処理で電荷をリセットして蓄積を開始できる、いわゆる電子先幕機能を有している場合、シャッタユニット３００が必ずしも先幕３０１を有しなくてもよい。この場合、後幕３０２のみによって開口部３０８ａを遮光する構成であってもよい。
【００１７】
シャッタユニット３００のさらに光軸後方には、撮像素子１３１からなる撮像ユニット１３０が配置される。カメラが撮影待機状態にある場合、及び撮影時には、シャッタユニット３００は開口状態となり、撮像ユニット１３０に光束が入射する。撮像素子１３１で露光された被写体像は電気信号に変換され、変換された撮像情報は、システム制御部１４０で画像処理や補正処理、記録画像への変換処理が行われる。
【００１８】
システム制御部１４０の画像補正処理ユニットからなる補正処理部１４０ａで処理された撮像情報は、内蔵メモリや外部メモリーカードからなる記録装置１４５へ記録される。システム制御部１４０には、電力制御部１４２による制御に従い、バッテリからなる電源１４１から電力が供給される。また、撮影情報やカメラ本体１０１の各種設定状態は、ＬＣＤ（液晶表示器）で構成された外部モニタである外部表示部１４３に表示される。
【００１９】
ＣＭＯＳエリアセンサ等から構成される撮像素子１３１は、被写体像を電気信号に変換するマトリクス状に配置された画素によって構成される。撮像素子１３１で露光された被写体像は、シャッタユニット３００によって遮光された状態で全画素が読みだされる本撮像によって撮影画像の情報が読みだされ、システム制御部１４０で記録形式に変換され、記録装置１４５に記録される。
【００２０】
撮像素子１３１には、撮像用画素中に位相差検出用素子が配設され、撮像素子１３１に埋め込まれた位相差検出用素子によってオートフォーカス（ＡＦ）測距を行う。撮像素子１３１は、撮影待機状態において位相差検出用素子を用いて撮像レンズ２０２のデフォーカス量を検出し、ＡＦ演算部１３５へ情報を伝える。また、撮像素子１３１は開口部３０８ａが開口している状態で、露光中の被写体像をスリットローディング方式で順次画像を読み出すＬＶ読み出しも行う。
【００２１】
ファインダ１６０では、ＬＶ読み出しによって取得された画像情報が外部表示部１４３やファインダ内表示部１６４に静止画や動画情報として表示される、ライブビュー表示（ＬＶ表示）が行われる。また、カメラ本体１０１では、ＬＶ読み出しによって取得された画像情報を順次システム制御部１４０で記録画像に変換して記録装置１４５に記録しておく機能であるプリレックも行われる。
【００２２】
ＡＦ演算部１３５は、撮像素子によるＡＦ測距結果にもとづいて、撮像レンズ２０２を合焦状態となるように位置まで移動するための駆動量を演算し、交換レンズ２０１に伝達する。交換レンズ２０１は、不図示のアクチュエータを制御して、撮像レンズ２０２を駆動させて焦点調節を行う。
【００２３】
メインミラー１５１で反射しファインダ１６０へ導かれた光束は、メインミラー１５１から撮像素子１３１への光学的距離に等しく置かれたファインダスクリーン１６１に結像する。ファインダスクリーン１６１に結像した被写体像は、ＰＮ液晶からなる情報表示部１６６及びペンタプリズム１６２によって反射／反転され、接眼レンズユニット１６３へ入射する。撮影者は、ピント板１６１上に映る被写体像を接眼レンズユニット１６３から光学ビューファインダ（ＯＶＦ）表示として視認する。
【００２４】
ファインダ１６０には、ＬＥＤ等で構成されるバックライト１６４ａ及びＴＦＴ液晶表示ディスプレイ等で構成されるファインダ内部表示部１６４が接眼レンズユニット１６３と組み合わされて配置されている。ファインダ内部表示部１６４に任意の画面表示を行うことで電子ビューファインダ（ＥＶＦ）表示が出力される。
【００２５】
出力されたＥＶＦ表示は、接眼レンズユニット１６３内部のプリズム１６３ａに配置されたハーフミラー面１６３ｍによってＯＶＦ表示に光学的に重ね合わせるＥＶＦ重畳表示が行われる。これをハイブリッドファインダと呼ぶ。
【００２６】
本実施形態では、接眼レンズユニット１６３にプリズム１６３ａとファインダ内部表示部１６４を配置してＯＶＦ表示にＥＶＦ重畳表示を行い、ハイブリッドファインダを構成したが、これに限定されない。例えば、情報表示部１６６をドットマトリクス式の有機ＥＬにすることでＥＶＦ重畳表示を実現しても良い。
【００２７】
次に、図２を参照して、ハイブリッドファインダについて説明する。図２（ａ）〜図２（ｄ）は、接眼レンズユニット１６３から視認されるハイブリッドファインダの表示を示す図である。
【００２８】
図２（ａ）は、ＥＶＦ重畳表示を行っていない状態を示している。ファインダ１６０には、ＯＶＦ表示範囲５０１が表示されており、ＯＶＦ表示範囲５０１の外側に撮影情報が表示された撮影情報表示部５０４が不図示の表示装置によって表示されている。
【００２９】
図２（ｂ）は、ＥＶＦ重畳表示としてメニュー画面を重畳させた状態を示している。従来は外部表示部１４３にメニュー画面が表示されていた。メニュー画面をＥＶＦ重畳表示としてファインダ内部表示部１６４に表示させることで、画面内のＥＶＦ重畳範囲５０２にメニュー表示５０３がＥＶＦ重畳表示され、撮影者はファインダ１６０を覗きながらカメラのメニュー操作を行うことが出来る。
【００３０】
図２（ｃ）は、ＥＶＦ重畳表示として撮影情報、例としてカメラの合焦指定位置であるＡＦ測距点５０５を重畳させた状態を示す。従来のカメラにおいてピント板１６１に刻まれたプリズムにＬＥＤ光を照射する、または情報表示部１６６を点灯させる方法によってＡＦ測距点表示が行われていた。これに対し、本実施形態のハイブリッドファインダにおいてはＡＦ測距点の画像をＥＶＦ重畳表示させることによって、ＡＦ測距点を表示させることができる。また、ファインダ内部表示部１６４は、カラー表示が可能であり、ＡＦ測距点表示は、測距信頼性や合焦状況に応じて表示色や表示形状を多彩に変化させて表示される。
【００３１】
図２（ｄ）は、ＥＶＦ重畳表示として撮像素子１３１のＬＶ表示を重畳させた状態を示している。このとき、撮像素子１３１に写った被写体像のＬＶ表示がファインダ内部表示部１６４に表示されており、ＯＶＦ表示範囲５０１内のＥＶＦ重畳範囲５０２に、ＬＶ重畳表示５０８が表示されている。ＥＶＦ重畳範囲５０２には、表示中のＬＶ重畳表示５０８がプリレック中であることを示す表示もされている。
【００３２】
ＯＶＦ表示の中心と、ＥＶＦ重畳表示の中心は調整によって揃えられる。また、撮影待機状態及び撮影動作中のＬＶ重畳表示には、カメラの制御状態に応じて適切な画像補正を実施する必要がある。
【００３３】
次に、図３乃至図１０を用い、撮影画像やＬＶ画像に実施する画像補正について、ハイブリッドファインダのＥＶＦ重畳表示への補正実施の有無に分けて説明する。
【００３４】
第１の補正処理として、記録装置１４５に記録される本撮像の撮影画像に対しては実施されないが、ハイブリッドファインダのＯＶＦ表示とＥＶＦ重畳表示との画像表示の差異を減少させる機能を有するが小さくなる特徴を持つ補正がある。具体的には、ファインダ重畳収差補正、メインミラー透過補正、ＥＶＦ表示遅延補正（電子ビューファインダ表示遅延補正）がある。以下で各補正の詳細を説明する。
【００３５】
（ファインダ重畳収差補正）
図３は、収差のないレンズを用いて、水平垂直に格子状の模様を被写体として視認したときの様子を示している。図３（ａ）はＥＶＦ重畳表示にファインダ重畳収差補正を実施しない場合のファインダ表示を模式的に示し、図３（ｂ）はＥＶＦ重畳表示にファインダ重畳収差補正を実施した場合のファインダ表示を模式的に示す。
【００３６】
ピント板１６１を視認するためのペンタプリズム１６２及び接眼レンズユニット１６３は収差をもつため、ファインダ表示画面５０１も収差を有する画面表示となる。図３（ａ）及び図３（ｂ）において、ファインダ表示画面５０１はいわゆる糸巻き型の収差を有している。
【００３７】
ＥＶＦ重畳表示５０８に対して何も補正を行わない場合、ＥＶＦ重畳表示５０８には、ピント板１６１からハーフミラー面１６３ｍに至るファインダの光学系が有する収差が含まれない。この場合、図３（ａ）に示すように、ＯＶＦ表示の収差とＥＶＦ重畳表示５０８の収差が異なった状態で重畳されてしまい、被写体像の視認が難しくなる。
【００３８】
そのため、図３（ｂ）に示すように、ＯＶＦ表示範囲５０１の持つ収差と、ＥＶＦ重畳表示５０８の収差が略一致するように、ファインダ内部表示部１６４の表示画面に収差を付加させるファインダ重畳収差補正を行う。
【００３９】
具体的には、ファインダ内部表示部１６４に、接眼レンズ１６３による補正だけではＯＶＦ表示とＥＶＦ重畳表示５０８の収差が一致させられない場合、残った収差分だけを打ち消すような収差を加えた像を表示させることが望ましい。図３では、歪曲収差を例に挙げたが、色収差やファインダ１６０に含まれる光学素子の吸収による色ずれも同等に考えられる。
【００４０】
（メインミラー透過補正）
図４は、静止している人物を被写体として視認した様子を表している。図４（ａ）はＥＶＦ重畳表示５０８にメインミラー透過補正を実施しない場合のファインダ表示を模式的に示し、図４（ｂ）はＥＶＦ重畳表示５０８にメインミラー透過補正を実施した場合のファインダ表示を模式的に示す。
【００４１】
撮影時にメインミラー１５１が光軸から退避する場合は撮影待機時、またメインミラー１５１が固定式半透過ミラー構成の場合は常に、撮像素子１３１にはミラーダウン状態にあるメインミラー１５１を透過した被写体像が写っている。
【００４２】
このとき、撮影レンズ２０２を通過した光束は、メインミラー１５１を透過する際にミラーによって屈折し、光軸位置が画面下方向にずれている。したがって、メインミラー１５１を透過した画像をそのまま重畳させると、図４（ａ）に示すように、ＯＶＦ表示範囲５０１の中心とＥＶＦ重畳表示５０８に表示される画像の光軸中心位置がずれた二重の像として見えてしまう。そのため、図４（ｂ）に示すよう、ＥＶＦ重畳表示５０８にはあらかじめメインミラー１５１の透過によるずれ量を補正するメインミラー透過補正を実施するのが望ましい。
【００４３】
また、図４では、上下位置のずれを例に示したが、光軸中心位置以外のずれもメインミラー透過補正の補正対象に含まれ、これらのずれも補正して重畳させることが望ましい。具体的には、ミラーダウン状態にあるメインミラー１５１に起因するゴーストやメインミラー１５１のハーフミラー透過特性によって発生するＯＶＦ表示とＬＶ表示との色ずれ等である。
【００４４】
（ＥＶＦ表示遅延補正）
図５は、静止している人物を被写体として視認し、カメラを左方向に移動させた様子を示している。図５（ａ）はＥＶＦ重畳表示にＥＶＦ表示遅延補正を実施しない場合のファインダ表示を模式的に示し、図５（ｂ）はＥＶＦ重畳表示にＥＶＦ表示遅延補正を実施した場合のファインダ表示を模式的に示す。
【００４５】
撮像素子１３１の被写体像をＬＶ重畳表示として表示するとき、ＬＶ読み出しが行われてからＥＶＦ重畳表示５０８されるまでにはタイムラグが生じる。そのため、図５（ａ）に示すように、カメラが移動する際にＯＶＦ表示で視認できた被写体がＥＶＦ重畳表示５０８として描画されるまでに移動してしまう。その結果、カメラ移動方向に二重にずれて重畳されてしまう。これはカメラと被写体の相対関係によって生じるため、静止したカメラに対し被写体が移動した場合も同等である。
【００４６】
したがって、カメラに加わった加速度を検知する不図示の加速度センサを用いる、または画面上での動体を検知することで、ＥＶＦ重畳表示５０８に生じる像のずれ量を予測し補正する、ＥＶＦ遅延表示補正を行うことが望ましい。
【００４７】
次に、第２の補正処理として、記録装置１４５に記録される本撮像の撮影画像に対しては実施されるが、ＯＶＦ表示とＥＶＦ表示の画像表示の差異を増大させる機能を有するが大きくなる特徴を持つため、ＥＶＦ重畳表示には実施しないことが望ましい補正がある。
【００４８】
第２の補正処理の具体例として、撮影レンズ収差補正、色収差補正、画像傾き回転補正、センサシフト式手ぶれ補正、電子式手ぶれ補正が挙げられる。
【００４９】
（撮影レンズ収差補正）
図６は、水平垂直に格子状の模様を被写体として、収差を持つ撮影レンズ２０２を装着し、収差のないファインダ１６０で視認したときの様子を示している。図６（ａ）はＥＶＦ重畳表示５０８に撮影レンズ収差補正を実施しない場合のファインダ表示を模式的に示し、図６（ｂ）はＥＶＦ重畳表示５０８に撮影レンズ収差補正を実施した場合のファインダ表示を模式的に示す。
【００５０】
本撮像の撮影画像は、撮像レンズ２０２の光学特性によって生じる収差を補正する、撮影レンズ収差補正が行われて記録されている。撮影画像が外部表示部１４３に表示されるとき、ＬＶ画像は、撮影レンズ収差補正が実施された画像が表示される。
【００５１】
しかし、ハイブリッドファインダにおいて、ＯＶＦ表示は撮像レンズ２０２の収差が補正されないため、図６（ｂ）に示すように、撮像レンズ２０２の収差を補正した画像を重畳させると、ＥＶＦ重畳表示５０８はＯＶＦ表示とずれてしまう。そのため、撮影画像に対して撮像レンズ２０２の収差を補正して記録する場合でも、ＥＶＦ重畳表示５０８は撮影レンズ収差補正を実施しないで表示されることが望ましい。
【００５２】
図６では、糸巻き型の歪曲収差を例示しているが、撮影レンズ収差補正の補正対象はこれに限らず、歪曲収差の補正だけでなく、球面収差、コマ収差、像面湾曲、非点収差、また色収差であっても同様である。さらに、撮影レンズ２０２の周辺減光を軽減するかもしくは増加させるよう画像を補正する周辺減光補正も撮影レンズ収差補正の補正対象に含まれる。
【００５３】
（画像傾き補正）
図７は、水平面に対して傾斜した面上に静止した物体を被写体として、ファインダを視認したときの様子を示している。図７（ａ）はＥＶＦ重畳表示５０８に画像傾き補正を実施しない場合を模式的に示し、図７（ｂ）はＥＶＦ重畳表示５０８に画像傾き補正を実施した場合を模式的に示す。
【００５４】
カメラは撮影時のカメラの傾きを不図示の姿勢検知センサで検知し、撮影画像の水平垂直ずれを抑制する、画像傾き補正を実施して画像を記録する。
【００５５】
しかし、ハイブリッドファインダにおいて、ＯＶＦ表示は画像傾き補正が行われないため、図７（ｃ）に示すように、ＬＶ重畳表示に画像傾き補正を実施すると、ＥＶＦ重畳表示５０８はＯＶＦ表示と傾き量が異なりずれてしまう。そのため、撮影画像に対し画像傾きを補正して記録する場合でも、ＥＶＦ重畳表示５０８は画像傾き補正を実施しないで表示されることが望ましい。
【００５６】
（センサシフト式手ぶれ補正）
撮像ユニット１３０が可動式であり、カメラ内部に設置された不図示の加速度センサでカメラの手ぶれ量を検知し、ブレを打ち消すようにセンサを動かすことで画像のブレを抑制するセンサシフト式手ぶれ補正機能を有するカメラが知られている。ＬＶ読み出しで取得された画像を外部表示部１４３に表示させるときは、センサシフト式手ぶれ補正を実施すると画像が視やすくなり効果的である。
【００５７】
しかし、ハイブリッドファインダにおいては、ＯＶＦ表示は手ぶれが補正されていない光学像である。そのため、センサシフト式手ぶれ補正を行ったＬＶ重畳表示を表示させると、手ぶれにより揺れるＯＶＦ表示と補正後の揺れが少ないＥＶＦ重畳表示５０８が重なり、被写体像の視認が困難となる。
【００５８】
そのため、撮影時にセンサシフト式手ぶれ補正を実施する設定であっても、ＥＶＦ重畳表示５０８のためにファインダ内部表示部１６４に表示させる画像はセンサシフト式手ぶれ補正を実施しないことが望ましい。
【００５９】
（電子式手ぶれ補正）
前述のセンサシフト手ぶれ補正と同様に、不図示の加速度センサでカメラの手ぶれ量を検知し、ブレを打ち消すように画像記録の範囲をずらして見かけ上の画像ブレを抑制する、いわゆる電子式手ぶれ補正の機能を有するカメラが知られている。ＬＶ読み出しで取得された画像を外部表示部１４３に表示させるときは、電子式手ぶれ補正を実施させると画像が視やすくなり効果的である。
【００６０】
しかし、ハイブリッドファインダにおいては、ＯＶＦ表示は手ぶれが補正されていない光学像である。そのため、電子式手ぶれ補正を行ったＬＶ重畳表示を表示させると、手ぶれにより揺れるＯＶＦ表示と補正後の揺れが少ないＥＶＦ重畳表示５０８が重なり、被写体像の視認が困難となる。
【００６１】
そのため、撮影時に電子式手ぶれ補正を実施する設定であっても、ＥＶＦ重畳表示５０８のためにファインダ内部表示部１６４に表示させる画像は電子式手ぶれ補正を実施しないことが望ましい。
【００６２】
センサシフト式手ぶれ補正が実施されるカメラを用いてプリレックを行い、ハイブリッドファインダで被写体を視認する場合、プリレックはセンサシフト式手ぶれ補正処理を実施して記録することが好ましい。一方、ＥＶＦ重畳表示には、前述のようにセンサシフト式手ぶれ補正を実施して表示させるとＯＶＦ表示とＥＶＦ表示にズレが生じる。
【００６３】
この場合、センサシフト式手ぶれ補正を行わずＬＶ読み出しを行い、ＥＶＦ重畳表示は電子式手ぶれ補正を実施せず、プリレックは電子式手ぶれ補正を実施した画像を記録する方法がある。
【００６４】
また、センサシフト式手ぶれ補正を実施してＬＶ読み出し及びプリレックを行い、ＥＶＦ重畳表示はセンサシフト式手ぶれ補正の効果を打ち消す方向、つまり手ぶれを再現するように電子式手ぶれ補正を実施して重畳させる方法がある。どちらを利用しても良いが、システムの簡素性の観点からは前者の方法がより好ましい。
【００６５】
撮像レンズ２０２を駆動させることで手ぶれを補正する、いわゆるレンズシフト式手ぶれ補正の場合、ファインダ１６０のＯＶＦ表示もＥＶＦ重畳表示も等しく補正効果がみられ、レンズシフト式手ぶれ補正動作による被写体のずれは少ない。そのため、ＥＶＦ重畳表示中もレンズシフト式手ぶれ補正は実施されることが望ましい。
【００６６】
第３の補正処理として、撮影画像に対して行われることが望ましく、かつＯＶＦ表示とＥＶＦ重畳表示５０８の画像表示の差異を減少させるため、ＥＶＦ重畳表示５０８にも実施されるのが望ましい補正がある。具体的には、ローリングシャッタ歪み補正、フリッカー補正、撮像センサ補正がある。
【００６７】
（ローリングシャッタ歪み補正）
図８は、垂直に立つ４本の棒状の物体を被写体として視認している様子を示している。図８（ａ）はＥＶＦ重畳表示５０８にローリングシャッタ歪み補正を実施しない場合のファインダ表示を模式的に示し、図８（ｂ）はＥＶＦ重畳表示５０８にローリングシャッタ歪み補正を実施した場合のファインダ表示を模式的に示す。
【００６８】
ＬＶ読み出しは、撮像素子１３１のスリットローディングによって画面の端から順に走査されて行われる。そのため、撮影者がカメラを動かした場合、もしくはＬＶ読み出し中に動体が走査方向へ移動する場合、ＬＶ表示はローリングシャッタ歪みを伴ったものとなり、ＯＶＦ表示とずれが生じてしまう。
【００６９】
図８では、ＬＶ表示の画像は、ＥＶＦ重畳表示範囲５０８の左上から右下にかけて、順次横方向へ走査されて読み出されており、カメラは棒状物体に対して画面右方向に相対移動している。このとき、撮像素子１３１が重畳表示範囲５０２の画面上部を走査し読み出しているときと、画面下部を走査しているときでは棒の画面上の位置が異なってしまう。そのため、図８（ａ）に示すように、補正処理を行わない場合、ＯＶＦ表示では垂直に視認できる棒がＥＶＦ重畳表示５０８では右下に傾いた斜め状の棒として重畳される。
【００７０】
そのため、カメラに加わった加速度を検知する不図示の加速度センサを用いる、または画面上での動体を検知することで、ＬＶ画像に発生するローリングシャッタ歪みの量を予測する。そして、歪みを軽減させるローリングシャッタ歪み補正をＥＶＦ重畳表示５０８に実施して重畳させることが望ましい。
【００７１】
（フリッカー低減補正）
図９は、静止した人物を被写体として視認している様子を示している。図９（ａ）はＥＶＦ重畳表示５０８にフリッカー低減補正を実施しない場合のファインダ表示を模式的に示し、図９（ｂ）はＥＶＦ重畳表示５０８にフリッカー低減補正を実施した場合のファインダ表示を模式的に示す。
【００７２】
蛍光灯など特定の周波数で明滅を繰り返す光源下では、ＬＶ表示のシャッタスピード設定によってＥＶＦ画面に縞状の輝度ムラが発生することがある。図９（ａ）に示すように、この縞状のムラが残ったままＥＶＦ重畳表示５０８を行うと被写体像の視認がむずかしくなる。
【００７３】
そのため、図９（ｂ）に示すように、あらかじめフリッカーが低減されるシャッタスピード設定に変更したり、縞状のムラを均一輝度になるようにマスクをかけて補正を行うフリッカー低減補正をＥＶＦ重畳表示５０８に実施して重畳させることが望ましい。
【００７４】
（撮像センサ補正）
図１０は、静止した被写体を視認しているときの様子を示している。図１０（ａ）はＥＶＦ重畳表示５０８に撮像センサ補正を実施しない場合のファインダ表示を模式的に示し、図１０（ｂ）はＥＶＦ重畳表示５０８に撮像センサ補正を実施した場合のファインダ表示を模式的に示す。
【００７５】
撮像素子１３１の画素内に正常に画像を出力できないキズ画素５１５がある場合、周辺画素情報を用いての補完や外部情報を用いてキズ画素の情報を補正する撮像センサ補正が行われる。ＥＶＦ重畳表示５０８に撮像センサ補正を行わない場合、図１０（ａ）に示すように、撮像素子１３１に発生しているキズがそのままＥＶＦ重畳表示５０８として重畳され、被写体像の視認が困難となる。
【００７６】
そのため、図１０（ｂ）に示すように、ＥＶＦ重畳表示５０８にも撮像センサ補正が実施されることが望ましい。また、図１０では、ライン状のキズやキズ画素を例に説明したが、輝度ムラ、色ムラ、シェーディングといった、センサが正常な出力をしない場合にセンサ出力に対して補正を行うものであれば撮像センサ補正の補正対象に含まれる。
【００７７】
図３乃至図１０を用いた画像補正の説明では、ＥＶＦ重畳表示５０８としてＬＶ重畳表示を例に説明を行ったが、他の重畳表示、たとえばメニュー表示５０３やＡＦ測距点表示５０５の重畳についても同様に補正することが望ましい。
【００７８】
なお、いわゆるレンジファインダー式のカメラのようにブライトフレームファインダを搭載している場合や、外付けの光学ファインダを搭載している場合など、撮影光軸とファインダ光軸が一致していないカメラでＥＶＦ重畳表示を行う場合は以下の通りとなる。すなわち、ＯＶＦ表示は撮影動作の有無に関わりなく常に表示されており、また撮像レンズ２０２の光学系を通ったものではない。そのため、撮影者の動作に関係なく、重畳時には第１の補正処理と第３の補正処理を常に行い、第２の補正処理は常に行わないことが望ましい。
【００７９】
次に、図１１乃至図１３を用いて、クイックリターン式ミラーを有するカメラにおける撮影動作について説明する。
【００８０】
図１１は、カメラの撮影動作を示すフローチャート図である。図１２は、図１１に対応するカメラの主要動作を示すタイムチャート図である。図１３は、カメラの各撮影動作状態での断面模式図である。なお、図１２に示す各処理は、システム制御部１４０のＲＯＭ等に記憶されたプログラムがＲＡＭに展開されてＣＰＵ等により実行される。また、図１２及び図１３のステップＳ１０１〜Ｓ１３０の表示は、共通の状態を示している。
【００８１】
システム制御部１４０による図１１のＬＶ読み出し（Ｓ１０１）からＬＶ画像の重畳表示（Ｓ１０３）は、カメラの撮影待機状態におけるＬＶ読み出し及びハイブリッドファインダの動作を表している。
【００８２】
カメラの撮影待機状態では、図１３（ａ）に示すように、メインミラー１５１はダウン状態にあり、シャッタユニット３００の開口部３０８ａはシャッタ先幕３０１が走行しており開口状態にある。撮像レンズ２０２を通過した光束はメインミラー１５１で分割され、ファインダユニット１６０と撮像素子ユニット１３０の双方に導かれる。
【００８３】
このとき、撮像素子１３１は被写体像をＬＶ表示として読み出し、システム制御部１４０は、Ｓ１０２で第１の補正処理及び第３の補正処理を実施し、Ｓ１０３でファインダ内部表示部１６４へＬＶ重畳表示を行う。
【００８４】
ＬＶ読み出し（Ｓ１０１）からＬＶ重畳表示（Ｓ１０３）を第１の制御区間と呼び、第１の制御区間は撮影信号がＯＮ（Ｓ１０４）となるまで継続して行われる。ＬＶ表示を静止画または動画としてプリレックする場合は、システム制御部１４０は、ＬＶ重畳表示（Ｓ１０３）とは異なり、Ｓ１０２ａで第２の補正処理及び第３の補正処理を実施してＳ３０１で記録処理を行う。
【００８５】
システム制御部１４０は、（Ｓ１０４で撮影者によるレリーズ動作によって撮影信号が指令されると、シャッタ後幕セット解除（Ｓ１０５）から画像信号読み出し完（Ｓ１２２）までの一連の処理を実施する。この区間を第２の制御区間と呼ぶ。第２の制御区間では、システム制御部１４０は、シャッタ走行の準備としてシャッタ後幕セット解除動作（Ｓ１０５）を行う。また、システム制御部１４０は、ミラーユニット１５０を不図示のモータによる駆動でファインダ１６０を遮光するように回動させ、撮像レンズ２０２を透過した光束を撮像ユニット１３０へ導くミラーアップ動作（Ｓ１０７）を行う。
【００８６】
そして、システム制御部１４０は、これらの動作と並行して撮像ユニット１３０によるこれまでＥＶＦ重畳表示のために行っていたＬＶ読み出しを終了し、本撮像を実施するための準備動作（Ｓ１０９）を行う。次に、システム制御部１４０は、シャッタセット解除終了（Ｓ１０６）、ミラーアップ動作終了（Ｓ１０８）、撮像素子の準備動作終了（Ｓ１１０）を確認すると、本撮像のための準備を完了する。
【００８７】
このとき、図１３（ｂ）に示すように、ミラーアップ動作終了（Ｓ１０８）の段階で、メインミラー１５１は退避状態にある。この状態でメインミラー１５１に回動可能に取り付けられたメインミラー遮光板１５５は、不図示のトグル反転バネによってメインミラー１５１の裏面側をふさぐように閉じる。メインミラー遮光板１５５によって、ファインダ側から外光が侵入して撮像素子１３１に露光することを防ぎ、また、撮影レンズ２０２からの入射光がメインミラー１５１の裏面で反射してセンサにゴースト光として入射することを防ぐ。したがって、ミラーアップ中は、ファインダユニット１６０から撮像素子１３１への光路が遮断され、ＯＶＦ表示はブラックアウトする。
【００８８】
本撮像の準備が完了すると、システム制御部１４０は、Ｓ１１３で撮像素子１３１の電子先幕によるリセットを順次開始し、本撮像の露光及び蓄積を開始する。そして、システム制御部１４０は、撮像素子１３１の露光量が既定の値となるようＳ１１５で後幕３０２を走行させて開口部３０８ａを遮光し、Ｓ１１６で撮影のための蓄積を完了する（図１３（ｃ））。
【００８９】
その後、システム制御部１４０は、Ｓ１２１で撮像素子１３１で露光された被写体像の読み出しＳ１２１を実施し、同時にＳ１１７でシャッタチャージ動作及びＳ１１９でミラーダウン動作を行う。そして、システム制御部１４０は、シャッタチャージ終了（Ｓ１１８）、ミラーダウン動作終了（Ｓ１２０）、撮像素子１３１の情報読み出し終了（Ｓ１２２）が完了すると、Ｓ１２３で撮影動作終了となる。
【００９０】
第２の制御区間において、システム制御部１４０は、ＥＶＦ表示切替準備（Ｓ１１１）で撮影信号が指令される（Ｓ１０４）の直前に、撮像素子１３１から読みだされていた最終コマのＬＶ表示を読み込む。そして、システム制御部１４０は、読み込まれた最終のＬＶ表示をファインダ内部表示部１６４に表示させる、ＬＶ最終コマ表示（Ｓ１１４）を行う。ＬＶ最終コマ表示Ｓ１１４には、本撮像によって記録される画像と同等の補正処理、すなわち第２、第３の補正処理を実施した、撮影画像に近い画像が表示される。
【００９１】
図１３（ｂ）及び図１３（ｃ）に示すように、第２の制御区間のうちミラーアップ開始（Ｓ１０７）からミラーアップ動作終了（Ｓ１２０）までの間はミラーが光軸から退避しＯＶＦ表示がブラックアウトするため、ＯＶＦ表示とＥＶＦ表示は重畳していない。したがって、重畳されたときの差異を減らす補正である第１の補正処理は停止され、実施されない。
【００９２】
また、ＥＶＦ重畳表示はＯＶＦ表示と重畳させることを前提とした輝度で表示されている。そのため、ミラーアップ中のハイブリッドファインダを視認している撮影者には、ブラックアウトしたＯＶＦ表示によってファインダ内部の輝度が大きく変化しており、ファインダが暗く視認しづらいと感じることがある。したがって、ＬＶ最終コマ表示時にはファインダ内部表示部のバックライト１６４ａの輝度を、第１の制御区間とは変更し、明るく変更することが望ましい。
【００９３】
ＥＶＦ重畳表示に実施する補正をまとめると以下のとおりとなる。すなわち、第１の制御区間でＥＶＦ重畳表示に第２の補正処理を実施すると、ＯＶＦ表示とＥＶＦ表示の差異が大きくなるため望ましくない。第１の制御区間で実施される補正処理は、第１の補正処理及び第３の補正処理である。
【００９４】
しかし、第２の制御区間では、ＯＶＦがブラックアウト状態になっており重畳表示とはなっていないため、第２の制御区間においては第２の補正処理及び第３の補正処理を実施して表示させることが望ましい。
【００９５】
撮影動作完了（Ｓ１２４）のあと、システム制御部１４０は、第１の制御区間に戻る。開口３０８ａを開けて撮像素子１３１のＬＶ表示を再開させるために、シャッタユニット３００の先幕３０１を走行させてシャッタ開口動作Ｓ１２４を行う。そして、システム制御部１４０は、撮像ユニット１３０によるＬＶ表示を再開するためにＬＶ表示切替（Ｓ１２５）を行い、開口３０８ａが遮光されたことを確認するとＳ１２６でＬＶ用読み出し開始し、Ｓ１２８でＬＶ読み出しを再開する。
【００９６】
ＬＶ表示切替Ｓ１２５をうけて、システム制御部１４０は、再びＬＶ表示をＥＶＦ重畳表示させるため、ＥＶＦ表示切替準備（Ｓ１２７）を行う。撮像ユニット１３０からＬＶ読み出し（Ｓ１２８）の画像が出力されると、システム制御部１４０は、Ｓ１２９で第１及び第３の補正処理を行い、ＬＶ重畳表示Ｓ１３０を行う。ＬＶ読み出し画像を再度プリレックする場合は、システム制御部１４０は、Ｓ１２９ａで第２及び第３の補正処理を行い、Ｓ３０２で記録動作を行う。
【００９７】
以上説明したように、本実施形態では、ハイブリッドファインダを備えたカメラで静止画を撮影する際、カメラの動作の各段階においても快適に撮影することができる。
【００９８】
なお、本実施形態では、前述した第１、第２、第３の各補正処理を実施する設定を前提として記載しているが、これらの補正のうち実施が必要ないと判断された補正処理については、特に実施されなくても構わない。
【００９９】
（第２の実施形態）
次に、図１４及び図１５を用いて、第２の実施形態を説明する。本実施形態では、クイックリターン式ミラーを有するカメラの撮影動作において、撮影後にプレビュー表示を実施する場合を説明する。
【０１００】
図１４は、カメラの撮影動作を示すフローチャート図である。図１５は、図１４に対応するカメラの主要動作部のタイムチャート図である。なお、上記第１の実施形態と重複する部分については、図に同一符号を付し、主に異なる部分について説明する。
【０１０１】
図１４において、システム制御部１４０は、読み出し完（Ｓ１２３）ののち、撮影画像のプレビュー表示（Ｓ１３３）をＥＶＦ重畳表示として行い、プレビュー時間Ｔ３が経過したのちにプレビュー表示を終了して第１の制御区間に戻る。この間を第３の制御区間とする。
【０１０２】
第３の制御区間では、システム制御部１４０は、ＥＶＦ重畳表示として、本撮像で読み出した画像に第１、第２、第３の補正処理（Ｓ１４０）を実施する。これは第１の制御区間でＬＶ画像の重畳表示（Ｓ１０３）に実施されていた補正処理と異なり、プレビュー表示においては、記録装置１４５に記録される画像と同様の画像であることが望ましい。したがって、撮影画像に対して実施する第２の補正処理を実施した画像の方が良いためである。
【０１０３】
しかし、第２の制御区間でのＬＶ最終コマ表示（Ｓ１１４）と異なり、Ｓ１２０の時点でミラーダウンが完了してＯＶＦ表示が復帰している。そのため、ＯＶＦ表示とＥＶＦ重畳表示の差を減少させるための補正である第１の補正処理も、この第３の制御区間においては実施してＥＶＦ重畳表示を行うことが望ましい。その他の構成、及び作用効果は、上記第１の実施形態と同様である。
【０１０４】
（第３の実施形態）
次に、図１６及び図１７を用いて、第３の実施形態を説明する。本実施形態では、固定式ハーフミラーを有するカメラの撮影動作を説明する。
【０１０５】
図１６は、カメラの撮影動作を説明するフローチャート図である。図１７は、図１６に対応するカメラの主要動作部のタイムチャート図である。なお、上記第１及び第２の実施形態と重複する部分については、各図に同一符号を付し、主に異なる部分について説明する。
【０１０６】
本実施形態では、メインミラー１５１は固定式のハーフミラーであり、本撮像に際してもミラーアップによって退避動作を行わない。したがって、撮影画像もメインミラー１５１の透過画像を記録することになる。
【０１０７】
この構成においては、撮影時にはメインミラーが動作しないため、撮影時にファインダへ続く光路が遮光されない。したがって、本撮像中にファインダ内部で発生する光や接眼レンズユニット１６３から外光が侵入し、撮影画像に写り込むことが考えられる。
【０１０８】
そのため、上記第１の実施形態で示したように、第２の制御区間でＥＶＦ重畳表示を行った場合、ファインダ内部表示部１６４のバックライト１６４ａの光が撮像素子１３１に不要な光として写りこむことが考えられる。本実施形態においては、第２の制御区間ではバックライト１６４ａを消灯してＥＶＦ重畳表示停止（Ｓ２５０）が行われる。
【０１０９】
本実施形態では、プレビューがない場合の撮影動作を示しているが、上記第２の実施形態のように、撮影後にプレビュー表示を行っても良い。その場合も第２の制御区間においては、ＥＶＦ重畳表示停止（Ｓ２５０）が行われる。その他の構成、及び作用効果は、上記第１及び第２の実施形態と同様である。
【０１１０】
なお、本発明は、上記各実施形態に例示したものに限定されるものではなく、本発明の要旨を逸脱しない範囲において適宜変更可能である。
【０１１１】
また、本発明は、以下の処理を実行することによっても実現される。即ち、本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１２】
１３１  撮像素子
１４０  システム制御部
１４０ａ  補正処理部
１４５  記録装置
【図１】
2019212959.tif 000003
【図２】
2019212959.tif 000004
【図３】
2019212959.tif 000005
【図４】
2019212959.tif 000006
【図５】
2019212959.tif 000007
【図６】
2019212959.tif 000008
【図７】
2019212959.tif 000009
【図８】
2019212959.tif 000010
【図９】
2019212959.tif 000011
【図１０】
2019212959.tif 000012
【図１１】
2019212959.tif 000013
【図１２】
2019212959.tif 000014
【図１３】
2019212959.tif 000015
【図１４】
2019212959.tif 000016
【図１５】
2019212959.tif 000017
【図１６】
2019212959.tif 000018
【図１７】
2019212959.tif 000019